(57)【要約】【課題】施工の簡略化を図りつつ、手摺の固定強度の向上を達成できる屋上手摺構造を提供することを課題とする。【解決手段】屋上スラブ２上に設けられた防水層３上に、手摺１０の支柱１１とこの支柱１１よりも人立入りスペースＳ側に所定長さで広がり支柱１１の下端に一体的に形成された重石受ベース板１２とで構成される支柱部材１３を所定間隔で複数設置し、重石受ベース板１２上に、重石層２０を形成し、隣り合う支柱１１間に手摺本体１４を架け渡して固定した。【選択図】図１
2010065464.tif 000002
【特許請求の範囲】
【請求項１】
屋上に設けられる屋上手摺構造において、
屋上スラブ上に設けられた防水層上に、手摺の支柱と当該支柱よりも人立入りスペース側に所定長さで広がり前記支柱の下端に一体的に形成された重石受ベース板とで構成される支柱部材を所定間隔で複数設置し、
前記重石受ベース板上に、重石層を形成し、
前記隣り合う支柱間に手摺本体を架け渡して固定した
ことを特徴とする屋上手摺構造。
【請求項２】
前記重石受ベース板の上に、当該重石受ベース板よりも広い面積を有する重石受部材を布設した
ことを特徴とする請求項１に記載の屋上手摺構造。
【請求項３】
前記重石受部材は、隣り合う前記重石受ベース板の上面間に架け渡されている
ことを特徴とする請求項１または請求項２に記載の屋上手摺構造。
【請求項４】
前記防水層と前記重石受ベース板との間に前記防水層を保護する保護層を設けた
ことを特徴とする請求項１乃至請求項３のいずれか１項に記載の屋上手摺構造。
【発明の詳細な説明】
【技術分野】
【０００１】
本発明は、屋上に形成される屋上手摺構造に関する。
【背景技術】
【０００２】
従来、建築物の屋上に手摺を設けるには、図３の（ａ）に示すように、屋上スラブ５１から立ち上げた基礎５２で手摺４０の支柱４１を支持する構造や、図３の（ｂ）に示すように、屋上スラブ５１上の防水層５３の上部に形成される押えコンクリート層５４から立ち上げた基礎５５で手摺４０の支柱４１を支持する構造（例えば、特許文献１参照）が採用されていた。
【０００３】
【特許文献１】特開２００７−２５５００７号公報
【発明の開示】
【発明が解決しようとする課題】
【０００４】
しかしながら、図３の（ａ）に示した従来の構造では、手摺４０の支柱４１を支持する支柱基礎５２を屋上スラブ５１と一体で形成しているので、基礎回りの防水工事や躯体工事が複雑になるといった問題があった。また、防水層５３に貫通部が形成されるため、防水性の低下を招いてしまう可能性もあった。
【０００５】
一方、図３の（ｂ）に示した従来の構造では、防水層５３の上部に手摺の支柱を支持する支柱基礎５５を形成しているため、防水層５３の形状は平坦となり、工事の複雑化や防水性の低下は防止できるものの、支柱基礎５５は押えコンクリート層５４から立ち上げて形成されており、その施工は複雑なままであった。また、近年では屋上緑化を行う場合が多くなってきているが、この構造では、支柱基礎５５を押えコンクリート層５４と一体化して手摺の傾倒を防止しているので、押えコンクリート層５４は必ず形成しなければならず、図３の（ａ）の右側に示すように、屋上緑化のための土５６を防水層５３の上に直接敷設することができなかった。
【０００６】
本発明は前記の問題を解決すべく案出されたものであって、施工の簡略化を図りつつ、手摺の固定強度の向上を達成できる屋上手摺構造を提供することを課題とする。
【課題を解決するための手段】
【０００７】
前記課題を解決するため、請求項１に係る発明は、屋上に設けられる屋上手摺構造において、屋上スラブ上に設けられた防水層上に、手摺の支柱と当該支柱よりも人立入りスペース側に所定長さで広がり前記支柱の下端に一体的に形成された重石受ベース板とで構成される支柱部材を所定間隔で複数設置し、前記重石受ベース板上に、重石層を形成し、前記隣り合う支柱間に手摺本体を架け渡して固定したことを特徴とする屋上手摺構造である。
【０００８】
このような構成によれば、重石受ベース板上に重石層が形成されているので、手摺を傾倒させようとする力、すなわち、重石受ベース板を浮かせようとする力に抵抗できる。さらに、重石受ベース板は支柱よりも人立入りスペース側に所定長さで広がって形成されているので、人が手摺を掴むときには、その人の体重が重石受ベース板に加わるので、支柱の固定強度を向上させることができる。また、支柱部材を設置して重石受ベース板を覆うように重石層を形成するだけで、手摺を固定することができるので、施工の簡略化が図れる。特に、重石層を土にて形成する場合は、屋上緑化に対応できるとともに、押えコンクリートの施工を省略できるので施工手間が大幅に低減される。
【０００９】
請求項２に係る発明は、前記重石受ベース板の上に、当該重石受ベース板よりも広い面積を有する重石受部材を布設したことを特徴とする請求項１に記載の屋上手摺構造である。
【００１０】
このような構成によれば、重石受ベース板にかかる重石層の重量を大きくできるので、支柱の固定強度をさらに向上させることができる。
【００１１】
請求項３に係る発明は、前記重石受部材が、隣り合う前記重石受ベース板の上面間に架け渡されていることを特徴とする請求項１または請求項２に記載の屋上手摺構造である。
【００１２】
このような構成によれば、人がどの位置で手摺を掴んでも、その人の体重を重石受ベース板に加えることができるので、支柱の固定強度を向上させることができる。
【００１３】
請求項４に係る発明は、前記防水層と前記重石受ベース板との間に前記防水層を保護する保護層を設けたことを特徴とする請求項１乃至請求項３のいずれか１項に記載の屋上手摺構造である。
【００１４】
このような構成によれば、防水層と重石受ベース板とが直に接することがなく、支柱部材の重量や支柱部材に加わる応力が防水層に分散して伝達されるので、防水層の破損を防ぐことができ、防水性の低下を防止できる。
【発明の効果】
【００１５】
本発明によれば、施工の簡略化を図りつつ、手摺の固定強度の向上を達成できるといった優れた効果を発揮する。
【発明を実施するための最良の形態】
【００１６】
次に、本発明を実施するための最良の形態について、添付図面を参照しながら詳細に説明する。本実施形態では、屋上に土を敷設して植物を植えて緑化した、いわゆる屋上緑化された屋上に設けられる手摺を例に挙げて、屋上手摺構造を説明する。
【００１７】
図１に示すように、屋上手摺構造１は、屋上に設けられる手摺１０を固定する構造であって、屋上スラブ２上に設けられた防水層３上に、手摺１０の支柱１１と重石受ベース板１２とで構成される支柱部材１３が所定間隔で複数設置されている。そして、重石受ベース板１２上には、重石層２０が形成され、隣り合う支柱１１間に手摺本体１４が架け渡されて固定されている（図２参照）。
【００１８】
防水層３は、屋上スラブ２の上にポリ塩化ビニルシートやアスファルト等を布設することで構成されている。防水層３の上面には、保護層５が設けられている。保護層５は、重石受ベース板１２の下側に配置され、防水層３を保護する。保護層５は、例えば、所定厚さのシート材或いはプレート材を布設することで構成されている。保護層５は、重石受ベース板１２よりも広い面積を有しており、重石受ベース板１２と防水層３が直に接触しないように配置されている。
【００１９】
なお、屋上緑化を行う場合には、防水層３の上部に防根シート（図示せず）等を布設して、植物の根が伸長して防水層３や屋上スラブ２に食い込むのを防止するように構成しておくのが好ましい。
【００２０】
支柱部材１３は、手摺本体１４の長さ寸法に応じた所定の間隔で、手摺の延びる方向に複数設けられている。
【００２１】
支柱１１は、例えば、アルミニウムやステンレス等の軽量で防錆性能を有する素材で中空形状に形成されている。また、支柱１１は、表面に亜鉛メッキ等の防錆加工が施された鋼材にて形成してもよい。
【００２２】
重石受ベース板１２は、支柱１１よりも人立入りスペースＳ側に所定長さで広がり支柱１１の下端に一体的に形成されている。重石受ベース板１２は、支柱１１の下端部に、溶接等の接合手段によって一体的に固定されている。重石受ベース板１２は、支柱１１よりも人立入りスペースＳ側に向かって、所定長さ（例えば、５５０ｍｍ程度）以上の寸法で広がっており、人立入りスペースＳ内の人が手摺を触るときに、その人が重石受ベース板１２の上に立つように構成されている。このように、本実施形態では、重石受ベース板１２が支柱１１の下端部から人立入りスペースＳ側に広がっていることによって、支柱部材１３は、側方から見てＬ字状を呈しているが、その形状はＬ字に限定されるものではない。例えば、手摺で区画された両側に人立入りスペースが存在する場合は、支柱の両側に重石受ベース板が広がって、支柱部材は、側方から見て逆Ｔ字状を呈することとなる。また、人立入りスペースが手摺の片側のみに位置する場合でも、重石受ベース板は人立入りスペース側とその反対側の両方に広がって、支柱部材が側方から見て逆Ｔ字状を呈するようになっていてもよい。
【００２３】
重石受ベース板１２は、所定の面積を有する板状の部材であって、重石層２０の厚さや比重、支柱部材１３の配置ピッチや、後述する重石受部材１５の設置等の各種条件に応じて、支柱部材１３の傾倒や横ずれ移動を防止可能なように、その面積が算出されている。重石受ベース板１２は、例えば、鋼板（本実施形態では厚さ９ｍｍで、１５０ｍｍ×７００ｍｍの長方形状（支柱１１から人立入りスペースＳ側の寸法は５５０ｍｍ）に形成されている）にて構成して重量を確保し、傾倒防止のために必要な重量の負担割合（重石受ベース板１２と重石層２０との負担割合）を大きくするように構成するのが好ましい。このようにすれば、重石層２０の厚さを小さくできる。
【００２４】
支柱１１の下端部側面には、重石受ベース板１２の上面に延びる補強リブ１６が形成されている。これによって、支柱１１と重石受ベース板１２との固定強度が高められている。
【００２５】
重石受ベース板１２の上には、当該重石受ベース板１２よりも広い面積を有する重石受部材１５が布設されている。重石受部材１５は、重石層２０の重量を広い範囲に亘って受けて重石受ベース板１２に伝達し、あるいは重石受ベース板１２から外れた位置に立つ人の体重を重石受ベース板１２に伝達することによって、重石受ベース板１２に作用する実質的重量を増加させている。これによって、手摺を傾倒させようとする力への抵抗力が増える。なお、重石受ベース板１２にこれを浮かせようとする力がかかったときに、重石受部材１５が重石受ベース板１２を上から押さえる力がかかるが、実質的重量とは、重石受ベース板１２を押える際の重石受部材１５上の重石層２０の重量と、重石受ベース板１２上に位置する重石層２０の重量とを合わせたものをいう。
【００２６】
図２に示すように、本実施形態では、重石受部材１５は、溶接金網（図２中、太線にて示す）にて構成されており、隣り合う重石受ベース板１２，１２の上面間に架け渡されている。溶接金網は、例えば、亜鉛メッキが施された６ｍｍの鋼棒を縦横１００ｍｍピッチに配置・接合して幅４００ｍｍの帯状に構成されている。すなわち、本実施形態では、重石受ベース板１２から外れた位置で手摺１０に近付いた人の体重を重石受ベース板１２に伝達させることで、重石受ベース板１２に作用する実質的重量を増加させている。
【００２７】
重石受部材１５は、溶接金網に限定されるものではなく、鋼板等の板材にて構成されるものであってもよい。このような構成にすれば、重石受部材上に設けられている重石層の重量を重石受ベース板に伝達させることでも、重石受ベース板に作用する実質的重量を増加させることができる。
【００２８】
本実施形態では、重石層２０は、土にて構成されており、支柱部材１３の傾倒を防止できるだけの重量を重石受ベース板１２に作用させることができる厚さ寸法を有している。なお、重石層２０は、屋上に植えられる植物の育成に必要な厚さを下回らないようにする。育成に必要な厚さは植物の種類によって異なるが、例えば、比較的根の浅い芝類を植える場合には、１０ｃｍ程度の厚さを必要とする。つまり、手摺１０の固定強度に必要な重量から求められる厚さと、植物から求められる厚さの大きい方を重石層２０の厚さとする。また、高木類を植える場合には、さらに厚い重石層２０が必要となるが、重石受ベース板１２に作用する重量が大きくなるので、手摺１０の固定強度の面で有利になる。
【００２９】
以上のような構成の屋上手摺構造１によれば、支柱部材１３の重石受ベース板１２上に重石層２０が形成されているので、重石受ベース板１２およびその上部の重石層２０の重量で、手摺１０が傾倒しようとする力に抵抗でき、手摺１０の傾倒を確実に防止できる。特に、重石受ベース板１２が支柱１１よりも人立入りスペースＳ側に所定長さで広がって形成されているので、人が手摺を掴むときには、その人の体重が重石受ベース板１２に加わって作用する。これによって、支柱部材１３の固定強度をさらに向上させることができる。また、重石受ベース板１２の底面が保護層５に対して面接触してその上から重石層２０で押えているので、その摩擦抵抗によって、支柱部材１３が地震時に横ずれ移動するのを防止できる。
【００３０】
また、施工工程においては、支柱部材１３を設置して重石受ベース板１２を覆うように重石層２０を形成するだけでよいので、立上り形状の基礎をそれぞれ形成していた従来の屋上手摺の施工と比較して大幅な簡略化が図れる。特に、本実施形態では、重石層２０を土にて防水層３上に直接形成しているので、押えコンクリートの施工を省略でき、施工手間が大幅に低減される。また、支柱部材１３の構造が単純であるので、支柱部材１３の製造コストを抑えることができ、屋上手摺構造１を少ない費用で構築することができる。
【００３１】
さらに、本実施形態に係る屋上手摺構造１によれば、構築後所定時間経過した後であっても、手摺本体１４を一旦取り外した後に、重石層２０の土を移動させて、支柱部材１３を移動させれば、手摺１０のレイアウト変更を容易に行うことができる。
【００３２】
また、重石受ベース板１２の上に、重石受部材１５を布設したことで、重石受ベース板１２に作用する実質的重量を大きくできるので、支柱１１の固定強度をさらに向上させることができるとともに、重石層２０を薄くして屋根の積載荷重を低減することも可能である。また、重石受部材１５を設けることによって、重石受ベース板１２の面積を小さくすることができるので、支柱部材１３の重量を低減できる。これによって、支柱部材１３の取り回しが容易になり、さらなる施工の簡略化を達成することができる。
【００３３】
さらに、重石受部材１５が、隣り合う重石受ベース板１２，１２の上面間に架け渡されているので、人がどの位置で手摺を掴んでも、その人の体重を重石受ベース板１２に伝達することができ、手摺１０の固定強度をさらに向上させることができる。
【００３４】
また、防水層３と重石受ベース板１２との間に保護層５を設けたことによって、防水層３と重石受ベース板１２とが直に接することがない。これによって、支柱部材１３の重量や支柱部材１３に加わる応力が防水層３の一箇所に集中することなく分散して伝達されるので、防水層３の破損を防ぐことができ、防水性の低下を防止できる。
【００３５】
さらに、本実施形態では、従来のような手摺用の立上り基礎は必要せず、また重石層２０を土で構成しているので、手摺１０の支柱１１があたかも緑地面から直接生えているような印象を見る者に与え、意匠上も優れた屋上手摺構造１とすることができる。
【００３６】
以上、本発明を実施するための形態について説明したが、本発明は前記実施の形態に限定されず、本発明の趣旨を逸脱しない範囲で適宜設計変更が可能である。例えば、前記実施形態では、重石層２０を土にて構成しているが、これに限定されるものではない。例えば、防水層３の上に形成される押えコンクリートを重石層としてもよいし、また、砂利や
砕石やアスファルト等で重石層を形成するようにしてもよい。さらには、重石層の下層を押えコンクリートで構成し表層（上層）を土で構成するようにしてもよい。押えコンクリートと土からなる二層の重石層とすれば、厚さが小さく屋上緑化に対応できる重石層を形成することができる。
【００３７】
また、前記実施形態では、重石受ベース板１２の上に重石受部材１５を設けているが、必ずしも設けなくてもよい。この場合、重石受ベース板の面積を大きくして、重石受ベース板に作用する重量を増加させるようにするとよい。
【図面の簡単な説明】
【００３８】
【図１】本発明に係る屋上手摺構造を実施するための最良の形態を示した断面図である。
【図２】本発明に係る屋上手摺構造を実施するための最良の形態を示した平面図である。
【図３】（ａ）は従来の屋上手摺構造を示した断面図、（ｂ）は従来の他の屋上手摺構造を示した断面図である。
【符号の説明】
【００３９】
１      屋上手摺構造
２      屋上スラブ
３      防水層
１０    手摺
１１    支柱
１２    重石受ベース板
１３    支柱部材
１４    手摺本体
１５    重石受部材
Ｓ      人立入りスペース
【図１】
2010065464.tif 000003
【図２】
2010065464.tif 000004
【図３】
2010065464.tif 000005